(57)【要約】      （修正有）【課題】より容易にペットボトルのスカート部を開放することができる器具を提供する。【解決手段】可撓性を有する合成樹脂からなり、ボトルキャップ本体に密接状態で被覆させうるオープナー本体部と、オープナー本体部周縁に延設されたフランジ部とを有する。【選択図】図１
0003165237.tif 000002
【実用新案登録請求の範囲】
【請求項１】
ペットボトルキャップのオープナーであって、
可撓性を有する合成樹脂からなり、上記ボトルキャップの本体に密接状態で被覆させうるオープナー本体部と、上記オープナー本体部に延設されたフランジ部とを有することを特徴とするペットボトルキャップオープナー。
【請求項２】
上記オープナー本体部は、下部に形成されたスカート部と、上記スカート部に連設されたボトルキャップ本体固定部とにより構成され、上記ボトルキャップ本体固定部の内方にはボトルキャップ本体部の周縁部に形成された複数の突条に係止する突条が形成されていることを特徴とする請求項１記載のペットボトルキャップオープナー。
【請求項３】
上記フランジ部は、スカート部の下縁部に設けられていることを特徴とする  請求項１記載のペットボトルキャップオープナー。
【請求項４】
上記オープナー本体部は円筒形状に形成されると共に、上記フランジ部は上記オープナー本体部の下縁部においてオープナー本体部の軸方向に直交するように形成されていることを特徴とする請求項３記載のペットボトルキャップオープナー。
【請求項５】
上記合成樹脂はシリコン樹脂であることを特徴とする請求項１記載のペットボトルキャップオープナー。
【考案の詳細な説明】
【技術分野】
【０００１】
本考案は、ペットボトルキャップオープナーに関する。
【背景技術】
【０００２】
現在、広くペットボトルが使用されており、様々な飲料水がペットボトルに封入されて販売されている。
このようなペットボトルは、スカート部に合成樹脂製のボトルキャップによりスカート部が水密状態で閉止されて封印されて販売されている。
上記ボトルキャップは、ボトルネックの条端部に形成されたスカート部の周縁に設けられた突条に螺合するように形成され、ボトルキャップ本体と、ボトルキャップ本体の下部に延設されている固定部とにより一体形成され、ボトルキャップ本体は固定部によりボトルネックに固定され、スカート部を閉止している。
【０００３】
スカート部を開けて飲料水を飲みたい場合には、ボトルキャップを指により把持して開放方向へ回すことにより、ボトルキャップ本体と固定部とを破断することにより、ボトルキャップ本体を突条に沿わせて回し取ることにより、ペットボトルから除去することができる。
【０００４】
しかしながら、上記ボトルキャップはボトルキャップ本体と下部に延設された固定部とは一体に形成され、開口したい場合には把持した指の力でボトルキャップを指により把持して開放方向へ回すことにより、ボトルキャップ本体と固定部とを破断して分離させ、ボトルキャップ本体を突条に沿わせて回し取るようになっていたことから、破断分離には所定の力が必要であり、子供や女性にとってはボトルキャップの開放に時間がかかるという不具合もあった。
【０００５】
特に、冬場において、気温の低い屋外でボトルキャップを開放したい場合には、かじかんだ指でボトルキャップ本体部を把持して所定の力を込めてボトルキャップ本体を回し、固定部と破断して抜き取ることが容易ではない、という不具合もあった。
【考案の開示】
【考案が解決しようとする課題】
【０００６】
本考案はこのような要請に応えるものであって、その課題は、より容易にペットボトルのスカート部を開放することができる器具を提供することにある。
【課題を解決するための手段】
【０００７】
上記課題を解決するため、請求項１記載の考案にあっては、ペットボトルキャップのオープナーであって、可撓性を有する合成樹脂からなり、上記ボトルキャップ本体に密接状態で被覆させうるオープナー本体部と、上記オープナー本体部に延設されたフランジ部とを有することを特徴とする。
【０００８】
従って、請求項１記載の考案にあっては、ペットボトルの内容物を飲む際に、ペットボトルキャップを取る場合には、上記オープナー本体部をボトルキャップ本体に密接状態で被覆させて、オープナー本体上から指で把持して開放方向に回転させることにより、ボトルキャップ本体と固定部との間を破断し、上記フランジ部を把持してボトルキャップ本体を固定部から引き剥がし、ボトルキャップをペットボトルから除去することによりペットボトルのスカート部を開口させる。
【０００９】
請求項２記載の考案にあっては、上記オープナー本体部は、下部に形成されたスカート部と、上記スカート部の上部に連設されたボトルキャップ本体固定部とにより構成され、上記ボトルキャップ本体固定部の内方にはボトルキャップ本体の周縁部に形成された複数の突条に係止する突条が形成されていることを特徴とする。
従って、請求項２記載の考案にあっては、ボトルキャップに被覆させる場合には、上記スカート部を介してボトルキャップ本体に挿入して、ボトルキャップ本体の周縁部の突条を上記ボトルキャップ本体固定部の内方に形成された突条に係止させて回転させる。
【００１０】
請求項３記載の考案にあっては、上記フランジ部は、スカート部の下縁部に設けられていることを特徴とする。
従って、請求項３記載の考案にあっては、ボトルキャップ本体をペットボトルから除去する場合には、上記フランジ部を把持して、ボトルキャップごとオープナーをペットボトル上方へ持ち上げることによりボトルキャップを除去することができる。
【００１１】
請求項４記載の考案にあっては、上記オープナー本体部は円筒形状に形成されると共に、上記フランジ部は上記オープナー本体部の下縁部においてオープナー本体部の軸方向に直交するように形成されていることを特徴とする。
【００１２】
請求項５記載の考案にあっては、シリコン樹脂により形成されていることを特徴とする。従って、請求項５記載の考案にあっては、シリコン樹脂の特性により、環状分子の揮発性から、展延性に富み、いわゆる伸びがよく、べたつかない肌触りを確保でき、さらに、耐久性及び熱収縮性に優れている。
【考案の効果】
【００１３】
請求項１記載の考案にあっては、ペットボトルの内容物を飲む際に、ペットボトルキャップを取る場合には、上記オープナー本体部をボトルキャップ本体に密接状態で被覆させて、オープナー本体上から指で把持して開放方向に回転させることにより、ボトルキャップ本体と固定部との間を破断して分離し、上記フランジ部を把持してボトルキャップ本体を固定部から引き剥がし、ボトルキャップをペットボトルから除去することによりペットボトルのスカート部を開口させるように構成されていることから、オープナー本体部上から指で把持して回転させることにより、ボトルキャップ本体に対して大きな回転駆動力を加えることができ、小さな力でボトルキャップ本体を固定部から破断させることができる。
その結果、女性や子供であっても、小さな力で、より容易にペットボトルのボトルキャップを除去して開口することができる器具を提供することができる。
【００１４】
請求項２記載の考案にあっては、請求項２記載の考案にあっては、ボトルキャップに被覆させる場合には、上記スカート部を介してボトルキャップ本体に挿入して、ボトルキャップ本体の周縁部の突条を上記ボトルキャップ本体固定部の内方に形成された突条に係止させて回転させるように構成されていることから、請求項１記載の考案の効果に加えて、より容易かつ確実にボトルキャップ本体に回転駆動力を加えることが可能となる。
【００１５】
請求項３記載の考案にあっては、ボトルキャップ本体をペットボトルから除去する場合には、上記フランジ部を把持して、ボトルキャップごとオープナーをペットボトル上方へ持ち上げることによりボトルキャップを除去することができる。
従って、請求項３記載の考案にあっては、上記オープナー本体部をボトルキャップ本体に密接状態で被覆させて、オープナー本体上から指で把持して開放方向に回転させることにより、ボトルキャップ本体と固定部との間を破断して分離した後、上記フランジ部を把持して、ボトルキャップごとオープナーをペットボトル上方へ持ち上げることによりボトルキャップをペットボトルから除去することができる。
【００１６】
請求項４記載の考案にあっては、上記オープナー本体部は円筒形状に形成されると共に、上記フランジ部は上記オープナー本体部の下縁部においてオープナー本体部の軸方向に直交するように形成されていることから、使用者は、オープナー本体上から指で把持して開放方向に回転させることにより、ボトルキャップ本体と固定部との間を破断した後、上記オープナー本体を、上記フランジ部を把持して上方へ持ち上げやすい、という効果を奏する。
【００１７】
請求項５記載の考案にあっては、シリコン樹脂の特性により、環状分子の揮発性から、展延性に富み、いわゆる伸びがよく、べたつかない肌触りを確保できることから、手触り感の良好なペットボトルキャップオープナーを提供することができる。
さらに、耐久性及び熱収縮性に優れていることから、使用期間の如何に拘わらず耐久性を有し、また、夏冬の寒暖の影響を受けず、ボトルキャップに被覆させた場合に、収縮による被覆させにくい状態や、拡張により被覆させた際の緩みがなく、常時、ボトルキャップに密接した状態で被覆することができるペットボトルキャップオープナーを提供することができる。
また、シリコン樹脂製であることから、着色の自由度があり、いわゆるカラーバリエーションを豊富に確保することができると共に、販売会社のロゴマーク等を自由に印刷し、広告効果を高めることもできる。
【図面の簡単な説明】
【００１８】
【図１】本考案に係るペットボトルキャップオープナーの一実施の形態を示す斜視図である。
【図２】本考案に係るペットボトルキャップオープナーの一実施の形態を示す斜視図であって、内方に形成された突条を示す図である。
【図３】本考案に係るペットボトルキャップオープナーの一実施の形態を用いて、ペットボトルのボトルキャップを除去する場合の使用方法を示す図である。
【考案を実施するための最良の形態】
【００１９】
以下、添付図面に示す実施の形態に基づき本考案を詳細に説明する。
図１及び図３に示すように、本実施の形態に係るペットボトルキャップオープナー１０は、可撓性を有する合成樹脂であるシリコン樹脂製であって、上記ボトルキャップ１１の本体１２に密接状態で被覆させうるオープナー本体部１３と、上記オープナー本体部１３に延設されたフランジ部１４とを有している。
【００２０】
上記オープナー本体部１３は、全体略円筒状に形成され、下部に形成されたスカート部１５と、上記スカート部１５に連設されたボトルキャップ本体固定部１６とにより形成されている。
【００２１】
上記オープナー本体部１３及びスカート部１５は、円筒形状に形成されると共に、上記フランジ部１４は上記オープナー本体部１３の下縁部においてオープナー本体部１３の軸方向に直交するように延設されている。
上記ボトルキャップ本体固定部１６の内径は、ボトルキャップ１１の外径と略同一に形成されると共に、上記スカート部１５の内径は、ボトルキャップ本体固定部１６の内径よりも大径に形成されている。
【００２２】
上記ボトルキャップ本体固定部１６の内方にはボトルキャップ本体１２の周縁部に形成された複数の突条１７に係止する突条１８が形成されている。
上記フランジ部１４は、帽子のつば状に形成され、上記スカート部１５の下縁部に、オープナー本体部１３の軸方向に対して直交するように延設されている。
【００２３】
以下、本実施の形態に係るペットボトルキャップオープナー１０の作用について説明する。
本実施の形態に係るペットボトルキャップオープナー１０を使用して、ペットボトル１９のボトルキャップ１１を開放する場合には、図３に示すように、まず、オープナー本体部１３を、ペットボトル１９のボトルキャップ１１に、スカート部１５を介してボトルキャップ本体固定部１６内に配置されるように被覆する。
【００２４】
この状態で、利用者は、上記オープナー本体部１３を指で把持して、ボトルキャップ１１の開放方向に回転させ、ボトルキャップ本体１１をボトルキャップ本体１１の固定部２０から捻じ切ることにより破断させて分離させる。
その後、他方の手でペットボトル１９を把持しつつ、フランジ部１４を指で把持して上方へ引き上げることにより、ボトルキャップ１１をペットボトル１９から離脱させ、ボトルネック２１上端部の開口部を開放させる。
【００２５】
従って、本実施の形態に係るペットボトルキャップオープナー１０にあっては、オープナー本体部１３上から指で把持して回転させることにより、ボトルキャップ本体１２に対して大きな回転駆動力を加えることができ、小さな力でボトルキャップ本体１２を固定部２０から破断して分離させることができるため、直接に指でボトルキャップ１１を把持して回転させる場合に比して、より容易にペットボトル１９の開口部を開放することができる。
【００２６】
また、本実施の形態に係るペットボトルキャップオープナー１０にあっては、フランジ部１４を有することから、使用者は、オープナー本体部１３上から指で把持して開放方向に回転させることにより、ボトルキャップ本体１２と固定部２０との間を破断した後、上記オープナー本体部１３を、上記フランジ部１４を把持して上方へ持ち上げることにより、ようにボトルキャップ本体１１を除去できる。
【００２７】
さらに、本実施の形態に係るペットボトルキャップオープナー１０は、シリコン樹脂製であることから、シリコン樹脂の特性により、環状分子の揮発性から、展延性に富み、いわゆる伸びがよく、べたつかない肌触りを確保できることから、手触り感の良好なペットボトルキャップオープナーを提供することができる。
【００２８】
さらに、耐久性及び熱収縮性に優れていることから、使用期間の如何に拘わらず耐久性を有し、また、夏冬の寒暖の影響を受けず、ボトルキャップに被覆させた場合に、収縮による被覆させにくい状態や、拡張により被覆させた際の緩みがなく、常時、ボトルキャップに密接した状態で被覆することができるペットボトルキャップオープナーを提供することができる。
【符号の説明】
【００２９】
１０  ペットボトルキャップオープナー
１１  ボトルキャップ
１２  ボトルキャップ本体
１３  オープナー本体
１４  フランジ部
１５  スカート部
１６  ボトルキャップ本体固定部
１７  突条
１８  突条
１９  ペットボトル
２０  固定部
２１  ボトルネック
【図１】
0003165237.tif 000003
【図２】
0003165237.tif 000004
【図３】
0003165237.tif 000005
【手続補正書】
【提出日】平成22年11月1日(2010.11.1)
【手続補正１】
【補正対象書類名】実用新案登録請求の範囲
【補正対象項目名】全文
【補正方法】変更
【補正の内容】
【実用新案登録請求の範囲】
【請求項１】
ペットボトルキャップのオープナーであって、
可撓性を有する合成樹脂からなり、上記ボトルキャップの本体に密接状態で被覆させうるオープナー本体部と、上記オープナー本体部周縁に延設されたフランジ部とを有することを特徴とするペットボトルキャップオープナー。
【請求項２】
上記オープナー本体部は、下部に形成されたスカート部と、上記スカート部に連設されたボトルキャップ本体固定部とにより構成され、上記ボトルキャップ本体固定部の内方にはボトルキャップ本体部の周縁部に形成された複数の突条に係止する突条が形成されていることを特徴とする請求項１記載のペットボトルキャップオープナー。
【請求項３】
上記フランジ部は、スカート部の下縁部に設けられていることを特徴とする  請求項１記載のペットボトルキャップオープナー。
【請求項４】
上記オープナー本体部は円筒形状に形成されると共に、上記フランジ部は上記オープナー本体部の下縁部においてオープナー本体部の軸方向に直交するように形成されていることを特徴とする請求項３記載のペットボトルキャップオープナー。
【請求項５】
上記合成樹脂はシリコン樹脂であることを特徴とする請求項１記載のペットボトルキャップオープナー。
【手続補正２】
【補正対象書類名】明細書
【補正対象項目名】全文
【補正方法】変更
【補正の内容】
【考案の詳細な説明】
【技術分野】
【０００１】
本考案は、ペットボトルキャップオープナーに関する。
【背景技術】
【０００２】
現在、広くペットボトルが使用されており、様々な飲料水がペットボトルに封入されて販売されている。
このようなペットボトルは、スカート部に合成樹脂製のボトルキャップによりスカート部が水密状態で閉止されて封印されて販売されている。
上記ボトルキャップは、ボトルネックの条端部に形成されたスカート部の周縁に設けられた突条に螺合するように形成され、ボトルキャップ本体と、ボトルキャップ本体の下部に延設されている固定部とにより一体形成され、ボトルキャップ本体は固定部によりボトルネックに固定され、スカート部を閉止している。
【０００３】
スカート部を開けて飲料水を飲みたい場合には、ボトルキャップを指により把持して開放方向へ回すことにより、ボトルキャップ本体と固定部とを破断することにより、ボトルキャップ本体を突条に沿わせて回し取ることにより、ペットボトルから除去することができる。
【０００４】
しかしながら、上記ボトルキャップはボトルキャップ本体と下部に延設された固定部とは一体に形成され、開口したい場合には把持した指の力でボトルキャップを指により把持して開放方向へ回すことにより、ボトルキャップ本体と固定部とを破断して分離させ、ボトルキャップ本体を突条に沿わせて回し取るようになっていたことから、破断分離には所定の力が必要であり、子供や女性にとってはボトルキャップの開放に時間がかかるという不具合もあった。
【０００５】
特に、冬場において、気温の低い屋外でボトルキャップを開放したい場合には、かじかんだ指でボトルキャップ本体部を把持して所定の力を込めてボトルキャップ本体を回し、固定部と破断して抜き取ることが容易ではない、という不具合もあった。
【考案の開示】
【考案が解決しようとする課題】
【０００６】
本考案はこのような要請に応えるものであって、その課題は、より容易にペットボトルのスカート部を開放することができる器具を提供することにある。
【課題を解決するための手段】
【０００７】
上記課題を解決するため、請求項１記載の考案にあっては、ペットボトルキャップのオープナーであって、可撓性を有する合成樹脂からなり、上記ボトルキャップ本体に密接状態で被覆させうるオープナー本体部と、上記オープナー本体部周縁に延設されたフランジ部とを有することを特徴とする。
【０００８】
従って、請求項１記載の考案にあっては、ペットボトルの内容物を飲む際に、ペットボトルキャップを取る場合には、上記オープナー本体部をボトルキャップ本体に密接状態で被覆させて、オープナー本体上から指で把持して開放方向に回転させることにより、ボトルキャップ本体と固定部との間を破断し、上記フランジ部を把持してボトルキャップ本体を固定部から引き剥がし、ボトルキャップをペットボトルから除去することによりペットボトルのスカート部を開口させる。
【０００９】
請求項２記載の考案にあっては、上記オープナー本体部は、下部に形成されたスカート部と、上記スカート部の上部に連設されたボトルキャップ本体固定部とにより構成され、上記ボトルキャップ本体固定部の内方にはボトルキャップ本体の周縁部に形成された複数の突条に係止する突条が形成されていることを特徴とする。
従って、請求項２記載の考案にあっては、ボトルキャップに被覆させる場合には、上記スカート部を介してボトルキャップ本体に挿入して、ボトルキャップ本体の周縁部の突条を上記ボトルキャップ本体固定部の内方に形成された突条に係止させて回転させる。
【００１０】
請求項３記載の考案にあっては、上記フランジ部は、スカート部の下縁部に設けられていることを特徴とする。
従って、請求項３記載の考案にあっては、ボトルキャップ本体をペットボトルから除去する場合には、上記フランジ部を把持して、ボトルキャップごとオープナーをペットボトル上方へ持ち上げることによりボトルキャップを除去することができる。
【００１１】
請求項４記載の考案にあっては、上記オープナー本体部は円筒形状に形成されると共に、上記フランジ部は上記オープナー本体部の下縁部においてオープナー本体部の軸方向に直交するように形成されていることを特徴とする。
【００１２】
請求項５記載の考案にあっては、シリコン樹脂により形成されていることを特徴とする。従って、請求項５記載の考案にあっては、シリコン樹脂の特性により、環状分子の揮発性から、展延性に富み、いわゆる伸びがよく、べたつかない肌触りを確保でき、さらに、耐久性及び熱収縮性に優れている。
【考案の効果】
【００１３】
請求項１記載の考案にあっては、ペットボトルの内容物を飲む際に、ペットボトルキャップを取る場合には、上記オープナー本体部をボトルキャップ本体に密接状態で被覆させて、オープナー本体上から指で把持して開放方向に回転させることにより、ボトルキャップ本体と固定部との間を破断して分離し、上記フランジ部を把持してボトルキャップ本体を固定部から引き剥がし、ボトルキャップをペットボトルから除去することによりペットボトルのスカート部を開口させるように構成されていることから、オープナー本体部上から指で把持して回転させることにより、ボトルキャップ本体に対して大きな回転駆動力を加えることができ、小さな力でボトルキャップ本体を固定部から破断させることができる。
その結果、女性や子供であっても、小さな力で、より容易にペットボトルのボトルキャップを除去して開口することができる器具を提供することができる。
【００１４】
請求項２記載の考案にあっては、請求項２記載の考案にあっては、ボトルキャップに被覆させる場合には、上記スカート部を介してボトルキャップ本体に挿入して、ボトルキャップ本体の周縁部の突条を上記ボトルキャップ本体固定部の内方に形成された突条に係止させて回転させるように構成されていることから、請求項１記載の考案の効果に加えて、より容易かつ確実にボトルキャップ本体に回転駆動力を加えることが可能となる。
【００１５】
請求項３記載の考案にあっては、ボトルキャップ本体をペットボトルから除去する場合には、上記フランジ部を把持して、ボトルキャップごとオープナーをペットボトル上方へ持ち上げることによりボトルキャップを除去することができる。
従って、請求項３記載の考案にあっては、上記オープナー本体部をボトルキャップ本体に密接状態で被覆させて、オープナー本体上から指で把持して開放方向に回転させることにより、ボトルキャップ本体と固定部との間を破断して分離した後、上記フランジ部を把持して、ボトルキャップごとオープナーをペットボトル上方へ持ち上げることによりボトルキャップをペットボトルから除去することができる。
【００１６】
請求項４記載の考案にあっては、上記オープナー本体部は円筒形状に形成されると共に、上記フランジ部は上記オープナー本体部の下縁部においてオープナー本体部の軸方向に直交するように形成されていることから、使用者は、オープナー本体上から指で把持して開放方向に回転させることにより、ボトルキャップ本体と固定部との間を破断した後、上記オープナー本体を、上記フランジ部を把持して上方へ持ち上げやすい、という効果を奏する。
【００１７】
請求項５記載の考案にあっては、シリコン樹脂の特性により、環状分子の揮発性から、展延性に富み、いわゆる伸びがよく、べたつかない肌触りを確保できることから、手触り感の良好なペットボトルキャップオープナーを提供することができる。
さらに、耐久性及び熱収縮性に優れていることから、使用期間の如何に拘わらず耐久性を有し、また、夏冬の寒暖の影響を受けず、ボトルキャップに被覆させた場合に、収縮による被覆させにくい状態や、拡張により被覆させた際の緩みがなく、常時、ボトルキャップに密接した状態で被覆することができるペットボトルキャップオープナーを提供することができる。
また、シリコン樹脂製であることから、着色の自由度があり、いわゆるカラーバリエーションを豊富に確保することができると共に、販売会社のロゴマーク等を自由に印刷し、広告効果を高めることもできる。
【図面の簡単な説明】
【００１８】
【図１】本考案に係るペットボトルキャップオープナーの一実施の形態を示す斜視図である。
【図２】本考案に係るペットボトルキャップオープナーの一実施の形態を示す斜視図であって、内方に形成された突条を示す図である。
【図３】本考案に係るペットボトルキャップオープナーの一実施の形態を用いて、ペットボトルのボトルキャップを除去する場合の使用方法を示す図である。
【考案を実施するための最良の形態】
【００１９】
以下、添付図面に示す実施の形態に基づき本考案を詳細に説明する。
図１及び図３に示すように、本実施の形態に係るペットボトルキャップオープナー１０は、可撓性を有する合成樹脂であるシリコン樹脂製であって、上記ボトルキャップ１１の本体１２に密接状態で被覆させうるオープナー本体部１３と、上記オープナー本体部１３に延設されたフランジ部１４とを有している。
【００２０】
上記オープナー本体部１３は、全体略円筒状に形成され、下部に形成されたスカート部１５と、上記スカート部１５に連設されたボトルキャップ本体固定部１６とにより形成されている。
【００２１】
上記オープナー本体部１３及びスカート部１５は、円筒形状に形成されると共に、上記フランジ部１４は上記オープナー本体部１３の下縁部においてオープナー本体部１３の軸方向に直交するように延設されている。
上記ボトルキャップ本体固定部１６の内径は、ボトルキャップ１１の外径と略同一に形成されると共に、上記スカート部１５の内径は、ボトルキャップ本体固定部１６の内径よりも大径に形成されている。
【００２２】
上記ボトルキャップ本体固定部１６の内方にはボトルキャップ本体１２の周縁部に形成された複数の突条１７に係止する突条１８が形成されている。
上記フランジ部１４は、帽子のつば状に形成され、上記スカート部１５の下縁部に、オープナー本体部１３の軸方向に対して直交するように延設されている。
【００２３】
以下、本実施の形態に係るペットボトルキャップオープナー１０の作用について説明する。
本実施の形態に係るペットボトルキャップオープナー１０を使用して、ペットボトル１９のボトルキャップ１１を開放する場合には、図３に示すように、まず、オープナー本体部１３を、ペットボトル１９のボトルキャップ１１に、スカート部１５を介してボトルキャップ本体固定部１６内に配置されるように被覆する。
【００２４】
この状態で、利用者は、上記オープナー本体部１３を指で把持して、ボトルキャップ１１の開放方向に回転させ、ボトルキャップ本体１１をボトルキャップ本体１１の固定部２０から捻じ切ることにより破断させて分離させる。
その後、他方の手でペットボトル１９を把持しつつ、フランジ部１４を指で把持して上方へ引き上げることにより、ボトルキャップ１１をペットボトル１９から離脱させ、ボトルネック２１上端部の開口部を開放させる。
【００２５】
従って、本実施の形態に係るペットボトルキャップオープナー１０にあっては、オープナー本体部１３上から指で把持して回転させることにより、ボトルキャップ本体１２に対して大きな回転駆動力を加えることができ、小さな力でボトルキャップ本体１２を固定部２０から破断して分離させることができるため、直接に指でボトルキャップ１１を把持して回転させる場合に比して、より容易にペットボトル１９の開口部を開放することができる。
【００２６】
また、本実施の形態に係るペットボトルキャップオープナー１０にあっては、フランジ部１４を有することから、使用者は、オープナー本体部１３上から指で把持して開放方向に回転させることにより、ボトルキャップ本体１２と固定部２０との間を破断した後、上記オープナー本体部１３を、上記フランジ部１４を把持して上方へ持ち上げることにより、ようにボトルキャップ本体１１を除去できる。
【００２７】
さらに、本実施の形態に係るペットボトルキャップオープナー１０は、シリコン樹脂製であることから、シリコン樹脂の特性により、環状分子の揮発性から、展延性に富み、いわゆる伸びがよく、べたつかない肌触りを確保できることから、手触り感の良好なペットボトルキャップオープナーを提供することができる。
【００２８】
さらに、耐久性及び熱収縮性に優れていることから、使用期間の如何に拘わらず耐久性を有し、また、夏冬の寒暖の影響を受けず、ボトルキャップに被覆させた場合に、収縮による被覆させにくい状態や、拡張により被覆させた際の緩みがなく、常時、ボトルキャップに密接した状態で被覆することができるペットボトルキャップオープナーを提供することができる。
【符号の説明】
【００２９】
１０  ペットボトルキャップオープナー
１１  ボトルキャップ
１２  ボトルキャップ本体
１３  オープナー本体
１４  フランジ部
１５  スカート部
１６  ボトルキャップ本体固定部
１７  突条
１８  突条
１９  ペットボトル
２０  固定部
２１  ボトルネック